(57)【要約】      （修正有）【課題】舌磨き専用の舌ブラシを使用することなく舌苔の除去を行うことができる歯ブラシを提供する。【解決手段】柄１１の先端に一体に形成されたブラシ台１２の表面側に歯磨き用のブラシ１４が植毛された歯ブラシ１０において、ブラシ台１２の裏面側の平面部１３に舌磨き用の舌擦り部２０を形成したことを特徴とする。また、舌擦り部２０は、網目状部、ピン状の突起部、平面視ハ字状の突条部を列状に形成したものであり、前記ブラシ台の平面部が裏面側に傾斜して形成されている。【選択図】図１
0003171986.tif 000002
【実用新案登録請求の範囲】
【請求項１】
柄の先端に一体に形成されたブラシ台の表面側に歯磨き用のブラシが植毛された歯ブラシにおいて、前記ブラシ台の裏面側の平面部に舌磨き用の舌擦り部を形成したことを特徴とする歯ブラシ。
【請求項２】
前記舌擦り部が網目状部である請求項１に記載の歯ブラシ。
【請求項３】
前記舌擦り部がピン状の突起部である請求項１に記載の歯ブラシ。
【請求項４】
前記舌擦り部が平面視ハ字状の突条部を列状に形成したものである請求項１に記載の歯ブラシ。
【請求項５】
前記ブラシ台の平面部が裏面側に傾斜して形成されている請求項１ないし４のいずれか１項に記載の歯ブラシ。
【考案の詳細な説明】
【技術分野】
【０００１】
本考案は、柄の先端に一体に形成されたブラシ台の表面側に歯磨き用のブラシが植毛された歯ブラシに関し、特に舌苔を除去することができる歯ブラシに関する。
【背景技術】
【０００２】
虫歯や歯周病の予防、あるいは、口臭の抑制等、口内環境を整える際には、柄の先端に一体に形成されたブラシ台の表面側にブラシが植毛された歯ブラシを用いて歯磨きを行うことが一般的である。
【０００３】
しかるに、歯磨きでは、主に歯や歯茎をブラッシングするものであるが、口臭の原因となる舌苔を除去することができない。そこで、舌苔を除去する場合、舌磨き用の柔らかいブラシが植毛された舌ブラシを別途用いる必要があった。
【考案の概要】
【考案が解決しようとする課題】
【０００４】
本考案は前記の点に鑑みなされたものであり、舌磨き専用の舌ブラシを使用することなく舌苔の除去を行うことができる歯ブラシを提供するものである。
【課題を解決するための手段】
【０００５】
すなわち、請求項１の考案は、柄の先端に一体に形成されたブラシ台の表面側に歯磨き用のブラシが植毛された歯ブラシにおいて、前記ブラシ台の裏面側の平面部に舌磨き用の舌擦り部を形成したことを特徴とする歯ブラシに係る。
【０００６】
請求項２の考案は、前記舌擦り部が網目状部である請求項１に記載の歯ブラシに係る。
【０００７】
請求項３の考案は、前記舌擦り部がピン状の突起部である請求項１に記載の歯ブラシに係る。
【０００８】
請求項４の考案は、前記舌擦り部が平面視ハ字状の突条部を列状に形成したものである請求項１に記載の歯ブラシに係る。
【０００９】
請求項５の考案は、前記ブラシ台の平面部が裏面側に傾斜して形成されている請求項１ないし４のいずれか１項に記載の歯ブラシに係る。
【考案の効果】
【００１０】
請求項１の考案に係る歯ブラシは、柄の先端に一体に形成されたブラシ台の表面側に歯磨き用のブラシが植毛された歯ブラシにおいて、前記ブラシ台の裏面側の平面部に舌磨き用の舌擦り部を形成したため、舌磨き専用の舌ブラシを使用することなく舌苔の除去を行うことができる。
【００１１】
請求項２の考案は、請求項１において、前記舌擦り部が網目状部であるため、舌の表面を傷付けずに舌苔を除去することができる。
【００１２】
請求項３の考案は、請求項１において、前記舌擦り部がピン状の突起部であるため、舌の表面を傷付けずに舌苔を除去することができる。
【００１３】
請求項４の考案は、請求項１において、前記舌擦り部が平面視ハ字状の突条部を列状に形成したものであるため、舌の表面を傷付けずに舌苔を除去することができる。
【００１４】
請求項５の考案は、請求項１ないし４において、前記ブラシ台の平面部が裏面側に傾斜して形成されているため、舌磨き時に舌擦り部２０を舌の表面に接触させやすくなり、より効率よく舌苔を除去することができる。
【図面の簡単な説明】
【００１５】
【図１】本考案の一実施例に係る歯ブラシの斜視図である。
【図２】ブラシ台の側面図である。
【図３】第１実施例に係る舌擦り部の平面図である。
【図４】第２実施例に係る舌擦り部の平面図である。
【図５】第３実施例に係る舌擦り部の平面図である。
【図６】第４実施例に係る舌擦り部の平面図である。
【図７】平面部が傾斜したブラシ台の側面図である。
【考案を実施するための形態】
【００１６】
図１，２に示す本考案の一実施例に係る歯ブラシ１０は、柄１１の先端に一体に形成されたブラシ台１２の表面側に歯磨き用のブラシ１４が植毛されたものであって、ブラシ台１２の裏面側の平面部１３に舌磨き用の舌擦り部２０が形成されている。図２に示すブラシ台１２では、裏面側の平面部１３が表面側と略平行に形成されている。
【００１７】
舌擦り部２０は、舌の表面を傷付けないように擦って磨くことで、舌の表面に付着した舌苔を除去するものであり、ブラシ台１２の裏面側の平面部１３に所定の凹凸形状を形成してなる。図３〜図６は、舌擦り部２０の様々なバリエーションを表したものである。
【００１８】
図３に示す第１実施例の舌擦り部２０は、略菱形状の網目状部２１である。この網目状部２１は、左右の斜め方向に延びた複数の線部２１Ａ，２１Ｂを交差させて略菱形の網目部２１Ｃを形成してなる。この網目状部２１では、線部２１Ａ，２１Ｂまたは網目部２１Ｃのいずれか一方が凹形状、他方が凸形状とされる。
【００１９】
図４に示す第２実施例の舌擦り部２０は、略格子状の網目状部２２である。この網目状部２２は、縦方向に延びた線部２２Ａと横方向に延びた線部２２Ｂを交差させて四角形の網目部２２Ｃを形成してなる。網目状部２２では、網目状部２１と同様に、線部２２Ａ，２２Ｂまたは網目部２２Ｃのいずれか一方が凹形状、他方が凸形状とされる。
【００２０】
図５に示す第３実施例の舌擦り部２０は、ピン状の突起部２３である。この突起部２３は、規則的または不規則的に多数設けられ、他の突起部２３との隙間により凹凸形状をなしている。
【００２１】
図６に示す第４実施例の舌擦り部２０は、平面視略ハ字状の突条部２４を列状に形成したものである。突条部２４の列は、突条部２４を縦方向に等間隔で連ねてなり、複数列形成される。この突条部２４の列では、他の突条部２４との隙間により凹凸形状をなしている。
【００２２】
本考案の歯ブラシ１０にあっては、ブラシ台１２の裏面側に舌擦り部２０が形成されているため、例えば、歯磨きをした際に舌磨き専用の舌ブラシを使用せずに、そのまま舌磨きを行って舌苔を除去することができる。特に、図３〜図６に示すように、舌擦り部２０（２１〜２４）は所定の凹凸形状に構成されるため、舌磨きをした際に舌の表面に過剰な刺激を与えることがなく、舌の表面を傷付けずに舌苔を除去することができる。
【００２３】
なお、本考案の歯ブラシは、前述の実施例のみに限定されるものではなく、考案の趣旨を逸脱しない範囲において構成の一部を適宜に変更して実施することができる。例えば、実施例では、ブラシ台の裏面側の平面部が表面側と略平行に形成されていたが、図７に示すように、ブラシ台１２の平面部１３Ａを裏面側に傾斜させて形成してもよい。このように、ブラシ台１２の平面部１３Ａを傾斜させれば、舌磨き時に舌擦り部２０を舌の表面に接触させやすくなり、より効率よく舌苔を除去することができる。
【符号の説明】
【００２４】
１０    歯ブラシ
１１    柄
１２    ブラシ台
１３    平面部
１４    ブラシ
２０    舌擦り部
２１，２２    網目状部
２３    突起部
２４    突条部
【図１】
0003171986.tif 000003
【図２】
0003171986.tif 000004
【図３】
0003171986.tif 000005
【図４】
0003171986.tif 000006
【図５】
0003171986.tif 000007
【図６】
0003171986.tif 000008
【図７】
0003171986.tif 000009